(57)【要約】      （修正有）【課題】一般のベストと同様にして着用することにより、永久磁石を一度に肩や背中を中心とする上半身全体に当接させることができ、痛感を覚えることなく、上半身全体の血行を促進して有効な磁気治療を行うことができ、更に、製造が容易なベスト型磁気治療器を提供する。      【解決手段】ベスト形状を呈し、その左右前身頃２，３にそれぞれほぼ全幅に亘る挿入袋５が多数平行に配設されると共に、背中部４にほぼ全幅に亘る挿入袋５が多数平行に配設され、左右前身頃の各挿入袋と背中部の各挿入袋に、多数の磁気カプセルが連結された長さ調整可能な線状マグネットが挿入されて成る。【選択図】図１
0003208573.tif 000002
【実用新案登録請求の範囲】
【請求項１】
ベスト形状を呈していて、その左右前身頃にそれぞれほぼ全幅に亘る挿入袋が多数平行に配設されると共に、背中部にほぼ全幅に亘る挿入袋が多数平行に配設され、前記前身頃の各挿入袋と前記背中部の各挿入袋に、多数の磁気カプセルを連結して成る長さ調整可能な線状マグネットが挿入されていることを特徴とするベスト型磁気治療器。
【請求項２】
前記磁気カプセル同士の連結は、各端部が内方に折曲されたＨ字形状の連結具の前記内方折曲部が前記磁気カプセルの両端部に形成されている係止孔に係入されることにより行われる、請求項１に記載のベスト型磁気治療器。
【請求項３】
肩部における前記挿入袋の配設間隔は他の部分における配設間隔よりも狭い、請求項１又は２に記載のベスト型磁気治療器。
【考案の詳細な説明】
【技術分野】
【０００１】
本考案は、ベスト型磁気治療器に関するものであり、より詳細には、一般のベストと同様にして着用することにより上半身の血行を促進し、磁気治療を行うことができるベスト型磁気治療器に関するものである。
【背景技術】
【０００２】
身体に着用して磁気治療を行う磁気治療器としては、腰保護用ベルトやひざサポーター等が多く出回っているが、上半身、特に肩や背中の磁気治療を行うためのものとしては、小さな永久磁石を円形粘着シートの中心に定着した貼り付けタイプの磁気治療器が一般的である。
【０００３】
言うまでもなく、有効な磁気治療効果は、多数の永久磁石を用いることによって得られるが、貼り付けタイプの磁気治療器の場合は、１つずつ患部（ツボ）に貼り付けていく必要があるため、多数貼り付けるには手間がかかり、また、貼り付けタイプの磁気治療器は使い捨てであって恒久的使用ができないため、多数用いる場合にはコスト的にも問題がある。更に、この貼り付けタイプの磁気治療器は、直接肌に貼り付けるものであるため、貼り付け部がかぶれたりするおそれがあり、肌が弱い人には不向きである。
【０００４】
また、シャツの内面に複数の永久磁石を定着した磁気治療用シャツの提案がある（引用文献１：実開平０７−２１０６０号公報）。しかし、この提案にかかるシャツは、磁気治療効果と共に指圧効果を得ることを企図したもので、必然的に永久磁石が大きなものとなるため、人によっては、あるいは、着方によっては痛さを感じるものとなり、心地よい状態で磁気治療を行うことができない。
【０００５】
更に、シャツ状の身体装具の背部に、複数の収納部を形成し、この収納部に対し、合成樹脂材に磁性粉を混入して成形してなる可撓性を有するサマリウム・鉄・窒素系磁石から成る長径な磁石体を着脱自在に配設して構成した身体装具の提案がある（引用文献２：特開２００４−２０８８３４号公報）。しかし、この身体装具の場合は、線状の磁石体の製造に手間とコストがかかり、また、その線状の磁石体は４箇所に配置されるに過ぎないので、上半身全体に亘る十分な磁気治療効果を期待することができない。
【先行技術文献】
【特許文献】
【０００６】
【特許文献１】実開平０７−２１０６０号公報
【特許文献２】特開２００４−２０８８３４号公報
【考案の概要】
【考案が解決しようとする課題】
【０００７】
上述したように、従来肩や背中に用いられている貼り付け型磁気治療器の場合は、１つずつ患部に貼り付ける必要があるために多数貼り付けるには手間がかかり、使い捨てであって恒久的使用ができないため、多数用いる場合にはコスト的にも問題があり、更に、この貼り付けタイプの磁気治療器は、直接肌に貼り付けるものであるため、粘着部がかぶれたりするおそれがあり、肌が弱い人には不向きであるという問題があった。また、シャツの内面に複数の永久磁石を定着した磁気治療用シャツの場合は、永久磁石が大きなものとなって、人によって、あるいは、着方によっては痛さを感じるものとなり、心地よい状態で磁気治療を行うことができないという問題があった。
【０００８】
また、線状の磁石体を用いる身体装具の場合は、線状の磁石体の製造に手間とコストがかかり、その線状の磁石体は４箇所に配置されるに過ぎないので、上半身全体に亘る十分な磁気治療効果を期待することができないという問題があった。
【０００９】
本考案は、従来技術におけるこのような問題を解決するためになされたものであり、一般のベストと同様にして着用することにより、永久磁石を一度に肩や背中を中心とする上半身全体に当接させることができ、肌に貼り付けるタイプではないため、肌が弱い人であっても安心して使用でき、永久磁石がベストのほぼ全体に配置されるために、痛感を覚えることなく、上半身全体の血行を促進して有効な磁気治療を行うことができ、更に、製造が容易なベスト型磁気治療器を提供することを課題とする。
【課題を解決するための手段】
【００１０】
上記課題を解決するための請求項１に記載の考案は、ベスト形状を呈していて、その左右前身頃にそれぞれほぼ全幅に亘る挿入袋が多数平行に配設されると共に、背中部にほぼ全幅に亘る挿入袋が多数平行に配設され、前記左右前身頃の各挿入袋と前記背中部の各挿入袋に、多数の磁気カプセルを連結して成る長さ調整可能な線状マグネットが挿入されていることを特徴とするベスト型磁気治療器である。
【００１１】
一実施形態においては、前記磁気カプセル同士の連結は、各端部が内方に折曲されたＨ字形状の連結具の前記内方折曲部が前記磁気カプセルの両端部に形成されている係止孔に係入されることにより行われる。
【００１２】
また、一実施形態においては、肩部における前記挿入袋の配設間隔は他の部分における配設間隔よりも狭くされる。
【考案の効果】
【００１３】
本考案は上記のとおりであって、本考案に係るベスト型磁気治療器は、一般のベストと同様にして着用することにより多数の線状マグネット列を、肩部を中心とする上半身全体に当接させることができ、肌に粘着させるものではないため、肌が弱い人であっても安心して使用でき、マグネット列がほぼ全体に配置されるために、上半身全体の血行を促進して有効な磁気治療効果が得られる効果がある。
【００１４】
また、線状マグネットは長さ調整が可能であるので、部位によって挿入袋の長さが異なっていても、各挿入袋に対応して長さ調整することが容易であり、更に、請求項２に記載の線状マグネットは湾曲自在となり、着用時に線状マグネットが背中部等の湾曲面に沿って湾曲して当接するので、有効な磁気治療効果が得られる効果がある。
【図面の簡単な説明】
【００１５】
【図１】本考案に係るベスト型磁気治療器の正面図である。
【図２】本考案に係るベスト型磁気治療器の背面図である。
【図３】本考案に係るベスト型磁気治療器の着用状態図である。
【図４】図１におけるＡＢ囲繞部の一部切截拡大図及びＣ−Ｃ線断面図である。
【図５】線状マグネットの構成例を示す斜視図である。
【図６】磁気カプセル連結具の構成例を示す正面図である。
【考案を実施するための形態】
【００１６】
本考案を実施するための形態について、添付図面を参照しつつ詳細に説明する。本考案に係るベスト型磁気治療器１は、ベスト形状を呈していて、その左右前身頃２、３にそれぞれ、ほぼ全幅に亘る挿入袋５が多数平行に配設されると共に、背中部４に、ほぼ全幅に亘る挿入袋５が多数平行に配設され、左右前身頃２、３の各挿入袋５と背中部４の各挿入袋に、多数の磁気カプセル７を連結して成る長さ調整可能な線状マグネット６が挿入されていることを特徴とするものである。
【００１７】
線状マグネット６は、多数の磁気カプセル７を連結して構成され、長さ調整可能にされる。図示した例における磁気カプセル７同士の連結は、通例、樹脂製でＨ字形状の連結具９を介して行われる。連結具９はＨ字形状であって、各端部が内方に折曲されて、上下に各一対の係入部１０が形成されたものである（図５、６参照）。一方磁気カプセル７には、その上下端部の両側面に、一対の係入部１０を係入させるための一対の係止孔８が形成されている。
【００１８】
そして、磁気カプセル７同士を連結するに当たっては、第１の磁気カプセル７の下部の一対の係止孔８にそれぞれ、連結具９の上部の一対の係入部１０を係入させ、次いで、第２の磁気カプセル７の上部の一対の係止孔８にそれぞれ、連結具９の下部の一対の係入部１０を係入させる。かくして、第１の磁気カプセル７と第２の磁気カプセル７とが連結具９を介して連結される。以後同様にして、任意の数の磁気カプセル７を連結していくことにより、所望の長さの線状マグネット６を作成することができる。このようにして作成された線状マグネット６は、全体的に湾曲自在となる。
【００１９】
一実施形態においては、血流が滞りやすい肩部から背中部にかけ、挿入袋５の配設間隔を他の部分における配設間隔よりも狭くすることにより、その部分における磁気治療効果を一層高めるように配慮される。
【００２０】
本考案に係るベスト型磁気治療器は、上記のように線状マグネット６がほぼ全体に配置された構成であるため、単に一般のベストと同様の方法で着用するだけで、多数の磁気カプセル７を、血流が滞りやすい肩や背中を中心とする上半身全体に当接させることができ、その当接部分の血行を促進してコリを解消することができる。また、本考案に係るベスト型磁気治療器の場合は、マグネットを直接肌に粘着させないため、肌が弱い人であっても安心して使用できる。
【符号の説明】
【００２１】
１      ベスト型磁気治療器
２      左前身頃
３      右前身頃
４      背中部
５      挿入袋
６      線状マグネット
７      磁気カプセル
８      係止孔
９      連結具
１０      係入部
【図１】
0003208573.tif 000003
【図２】
0003208573.tif 000004
【図３】
0003208573.tif 000005
【図４】
0003208573.tif 000006
【図５】
0003208573.tif 000007
【図６】
0003208573.tif 000008